(57)【特許請求の範囲】
【請求項１】
片面に貼着層を有するシート状の情報記録用基材と、前記貼着層を介して該情報記録用基材に貼着されたシート状の剥離基材とを具備し、
前記剥離基材が、その外縁と接しない複数のスリットを有し、その外縁と接するスリットは有さない、シールシート。
【請求項２】
前記複数のスリットのうちの少なくとも１つと、シールシートの長手方向外縁とがなす角度が２０〜８０度である、請求項１に記載のシールシート。
【請求項３】
片面に貼着層を有するシート状の情報記録用基材と、前記貼着層を介して該情報記録用基材に貼着されたシート状の剥離基材とを具備し、前記剥離基材が、その外縁と接しない及び／又はその外縁と１点でのみ接する複数のスリットを有し、かつ
シールシートの長手方向外縁に沿って、該外縁と２０〜８０度の角度をなし、互いに平行に配置した複数のスリットからなる第一のスリット列と、該列の各スリットと直交する角度のスリットからなる第二のスリット列とが、スリット同士交差することなく交互に並列配置された、シールシート。
【請求項４】
片面に貼着層を有するシート状の情報記録用基材と、前記貼着層を介して該情報記録用基材に貼着されたシート状の剥離基材とを具備し、前記剥離基材が、その外縁と接しない及び／又はその外縁と１点でのみ接する複数のスリットを有し、
前記剥離基材が、更に、その外縁と２点で接する切れ込み線を有する、シールシート。
【請求項５】
前記複数のスリットのうちの少なくとも１つと、シールシートの長手方向外縁とがなす角度が２０〜８０度である、請求項４に記載のシールシート。
【発明の詳細な説明】
【技術分野】
【０００１】
本発明はシールシートに関する。
【背景技術】
【０００２】
シールシートは、裏面に貼着層を有するシート状の情報記録用基材（表層シートとも記す）と、該貼着層を介して表層シートの裏面に貼着されたシート状の剥離基材（剥離シートとも記す）とを有する剥離性の情報記録シートである。シールシートはカッターやはさみなどで所望形状の切片に裁断することができ、また、表層シートには、裁断前または後に、所望の絵、文字、画像、彩色等の情報を印刷または手書きなどにより記録することができるため、たとえば表層シートに印刷された写真もしくはその修飾画像を自由フレームに切り抜いて台紙または物品に貼付して利用することができる。
【０００３】
上記のようにシールシートは自由に裁断できるが、裁断端辺では表層シートと剥離シートとの密着が強くなるため、表層シートを剥がしにくいという問題がある。このため、予め、剥離シートに、剥離開始箇所となる切り込み線を入れ、剥離シートを長手方向に沿って分断したものがあり、たとえば長手方向に２本の平行な切り込み線を入れて剥離シートを３枚の短冊状に分断した市販品が知られている。この分断線となる切り込み線の形状については、印刷時の紙送り方向に沿って、正弦波状または鋸歯状に蛇行させるとする提案もある（特許文献１参照）。
【０００４】
【特許文献１】特開２００５−１２８４５８号公報
【発明の開示】
【発明が解決しようとする課題】
【０００５】
上記のようにシールシートを所望するさまざまな形状に切り出して使用する際に、特に、切り抜き片が小片になるほど表層シートを剥離シートから剥離することが困難となり、剥離を繰り返し試みているうちに、表層シートに爪で傷つけたり、皺を生じたり、また、指先を痛めたりすることがある。小片の切り抜き片は、従来の剥離シートの有する分断線にまったくかからないこともあり、この場合、分断線は剥離開始箇所となり得ない。
したがって、本発明は、どのような形状、大きさに切り出されても、表層シートを剥離シートから容易に剥離することができるシールシートを提供することを目的としている。
【課題を解決するための手段】
【０００６】
本発明者は上記に鑑みて鋭意検討し、小片でも、またどのような形状に切り抜いても、従来と比較して格段に剥がし易く、かつ印刷時の紙送りおよび運搬時などにめくれなどの不具合を生じない特定のスリット（切れ目）を創意し、上記課題を解決するものとして、以下のような本発明を完成させた。
【０００７】
（１）片面に貼着層を有するシート状の情報記録用基材と、前記貼着層を介して該情報記録用基材に貼着されたシート状の剥離基材とを具備し、
前記剥離基材が、その外縁と接しない及び／又はその外縁と１点でのみ接する複数のスリットを有する、シールシート。
本発明では、少なくとも外縁と接しないスリットを複数有することが好ましい。
（２）前記複数のスリットのうちの少なくとも１つの長さが３〜１００ｍｍである、上記（１）に記載のシールシート。
（３）前記複数のスリットのうちの少なくとも２つの距離が３〜１００ｍｍである、上記（１）又は（２）に記載のシールシート。
（４）前記複数のスリットのうちの少なくとも２つが略平行である、上記（１）〜（３）のいずれかに記載のシールシート。
（５）前記複数のスリットのうちの少なくとも２つが、前記剥離基材に行列状に配列されている、上記（１）〜（４）のいずれかに記載のシールシート。
（６）前記複数のスリットのうちの少なくとも１つと、シートの長手方向外縁とがなす角度が２０〜８０度である、上記（１）〜（５）のいずれかに記載のシールシート。
（７）シールシートの長手方向外縁に沿って、該外縁と２０〜８０度の角度をなし、互いに平行に配置した複数のスリットからなる第一のスリット列と、該列の各スリットと直交する角度のスリットからなる第二のスリット列とが、スリット同士交差することなく交互に並列配置された、上記（６）に記載のシールシート。
（８）前記剥離基材が、更に、その外縁と２点で接する切れ込み線を有する、上記（１）〜（７）のいずれかに記載のシールシート。
【発明の効果】
【０００８】
本発明によれば、従来と比較して、情報記録部分を形成した情報記録用基材と剥離基材とを格段に剥がし易いシールシートを提供することができる。
【発明を実施するための最良の形態】
【０００９】
以下、本発明のシールシートについて、添付の図面に示される好適実施例を基に説明する。ただし、本発明はこの実施形態に限定されない。
【００１０】
図１は、本発明のシールシートの一実施形態の模式図である。図１（Ａ）は平面図であり、図１（Ｂ）は図１（Ａ）のＩＢ−ＩＢ線に沿った端面図である。なお、図１（Ｂ）においては、理解を容易にするため、スリットの幅を模式的に拡大して図示しているが、実際には幅がなく両側の部分が接触していてもよい。
【００１１】
図１に示されるシールシート１０は、剥離基材１２と、剥離基材１２の表面に貼着された情報記録用基材１４とを具備する。
ここで剥離基材の２つの主面のうち、情報記録用基材が貼着されている面が「表面」であるが、反対の面を以下では「裏面」という。また、情報記録用基材の２つの主面のうち、剥離基材と貼着している面を「裏面」、反対の面を「表面」という。つまり、本発明のシールシートでは、剥離基材の表面と情報記録用基材の裏面とが貼着している。
【００１２】
ここで、剥離基材１２はシート状であり、情報記録用基材１４を貼着する土台として機能する。剥離基材１２の材質は、後述する貼着層を介してその表面に情報記録用基材１４を着脱可能に貼着させることができるものであれば特に限定されず、例えば、従来公知の紙、繊維、プラスチック、金属、これらの複合体が挙げられる。中でも、シリコン加工等の表面処理を施した剥離紙が好ましい。
剥離基材１２は、大きさ、厚さも特に限定されない。後述する情報記録用基材１４の表面に通常用いられる印刷機を用いて情報を記録する場合は、Ａ４、Ｂ４等の規格に相当する大きさであることが好ましく、本発明のシールシート１０をこのような印刷機で印刷できる厚さとすることができる厚さであることが好ましい。
【００１３】
また、情報記録用基材１４は、シート状であり、表面に情報記録をすることができる。情報記録の方法は、特に限定されず、例えば、インクジェット印刷、レーザー印刷、マルチ印刷等の各種印刷；ペン、鉛筆、筆、スプレー、クレヨン等の各種筆記具および採色具等を用いた手書きが挙げられる。情報記録用基材１４の材質は、表面に情報記録をすることができるものであれば特に限定されず、例えば、紙（例えば、インクジェット印刷用紙）、プラスチック、金属、これらの複合体が挙げられる。
情報記録用基材１４は、大きさ、厚さについてはシート基材１２と同様であり、特に限定されない。大きさは剥離基材１２と同程度であることが好ましい。
【００１４】
情報記録用基材１４の裏面には、貼着層（図示せず）を有する。粘着層は、情報記録用基材１４を最終的に剥離基材１２から剥がして貼付しようとする物品の種類、目的などに応じて従来公知の粘着剤、接着剤等から適宜にして形成されていればよい。粘着層の形成方法も特に限定されない。
【００１５】
このようなシールシート１０において、剥離基材１２はその外縁１７と接しないスリット１６、及び／又は外縁１７と１点でのみ接するスリット１８を複数有している。なお、このスリット１８を含む場合の図１は本発明の参考図である。
ここでスリットとは、剥離基材に、その裏面から表面に達するように形成された線状の切れ目を意味する。また、本発明では、他の線状の切れ目と独立し、接したり、交わったりしていないスリットを１つのスリットとする。したがって、スリットは１本の線状の切れ目（１つの始点と１つの終点とを有し、この２つの点を繋ぐ１本の線分の状態の切れ目）である場合もあるが、複数の線状の切れ目が交わったもの（１つの始点と複数の終点とを有するとみなすことができるもの）である場合や、閉曲線状の切れ目である場合もある。また、線は直線でもよいし、曲線でもよい。
【００１６】
このような中で、スリットは１本の線状の切れ目であることが好ましく、略直線の切れ目であることがより好ましい。このようなスリットを有していれば、従来と比較して、切り抜き部分の情報記録用基材を剥離基材から剥がし易いからである。
【００１７】
また、スリットが「外縁と接しない」とは、剥離基材の外縁にスリットの切れ目が達していない状態を意味する。したがって、例えば図１においてスリット１６は、その切れ目が外縁１７に達していないので「外縁と接しないスリット」である。
また、スリットが「外縁と１点でのみ接する」とは、剥離基材の外縁にスリットの切れ目が達しているが、その達している箇所が１箇所（１点）であることを意味する。したがって、例えば図１において、スリット１８は、その切れ目が接点Ｆの１点でのみ外縁１７に達しているので「外縁と１点でのみ接するスリット」である。
【００１８】
なお、このスリットはその線の全ての部分において切れている（剥離基材の裏面から表面に達している）必要はない。例えばミシン目状に切れていてもよい。
【００１９】
また、このスリットの長さは、前記剥離基材が有する複数のスリットのうちの少なくとも１つが３〜１００ｍｍであることが好ましく、３〜５０ｍｍであることがより好ましく、５〜１５ｍｍであることがより好ましく、６〜１０ｍｍであることが更に好ましい。また、前記剥離基材が有する全てのスリットに対して、個数百分率で９０％以上のスリットが上記の範囲の長さであることが好ましい。この個数百分率は９５％以上がより好ましく、９９％以上が更に好ましい。剥離基材が、このような長さを満たす複数のスリットを有していれば、従来と比較して、切り抜き部分の情報記録用基材を剥離基材から剥がし易いからである。
【００２０】
なお、スリットが１本の線状の切れ目の場合、その長さとは、１つの始点と１つの終点とを繋ぐ１本の線（線分）の長さを意味する。
【００２１】
また、このようなスリット間の距離は特に限定されないものの、前記剥離基材が有する複数のスリットのうちの少なくとも２つの距離が３〜１００ｍｍであることが好ましく、３〜５０ｍｍであることがより好ましい。また、前記剥離基材が有する全てのスリットに対して、個数百分率で９０％以上のスリットにおけるスリット間の距離が上記の範囲であることが好ましい。この個数百分率は９５％以上がより好ましく、９９％以上が更に好ましい。剥離基材が、このようなスリット間の距離で複数のスリットを有していれば、従来と比較して、切り抜き部分の情報記録用基材を剥離基材から剥がし易いからである。
【００２２】
なお、スリット間の距離とは、１つのスリットとそれに隣り合う別のスリットとの最短距離を意味する。また、ここで「隣り合うスリット」とは、１つのスリットとの距離が最短であるスリットを意味する。つまり、スリット間の距離とは、１つのスリットと別のスリットとの最短距離の中で最短のものを意味する。
したがって、例えば図２（Ａ）に示すような２つのスリット、具体的には、各々１本の直線状の切れ目であり、互いに同じ長さであって、かつ平行であるスリット２０ａとスリット２２ａとの距離は、図２（Ａ）に示すＡ１である。
また、例えば図２（Ｂ）に示すような、各々１本の直線状の切れ目であり、同一直線上に形成されているスリット２０ｂとスリット２２ｂとの距離は、２つの直線の端部間の距離であり、図２（Ｂ）に示すＡ２である。
スリット間の距離がＡ１およびＡ２で示されるスリット端部間の距離である場合には、上記のうちでも、５〜１５ｍｍであることがより好ましく、６〜１０ｍｍであることが更に好ましい。
【００２３】
また、本発明のシールシートの剥離基材が有する複数のスリットのうちの少なくとも２つが略平行であることが好ましい。
また、前記剥離基材が有する全てのスリットに対して、個数百分率で９０％以上のスリットが互いに略平行であることが好ましい。この個数百分率は９５％以上がより好ましく、９９％以上が更に好ましい。このような略平行のスリットを剥離基材に有する本発明のシールシートは、従来と比較して、切り抜き部分の情報記録用基材を剥離基材から剥がし易いからである。
【００２４】
また、このようなスリットのうちの少なくとも２つが、前記剥離基材に行列状に配列されていることが好ましい。また、前記剥離基材が有する全てのスリットに対して、個数百分率で９０％以上のスリットが行列状に配列されていることが好ましい。この個数百分率は９５％以上がより好ましく、９９％以上が更に好ましい。剥離基材に、このように行列状にスリットが配列されていれば、従来と比較して、切り抜き部分の情報記録用基材が剥離基材から剥がし易いからである。
【００２５】
本発明のシールシートの好ましい態様例におけるスリット配置例を図３に示す。
図３は、本発明のシールシート３０の裏面、すなわち剥離基材３２の裏面を示す平面図であり、剥離基材３２の外縁３７に接しない複数のスリット３６の全てが、長方形のシールシート３０の短辺及び長辺に平行な行方向及び列方向に配列されている。この図では、説明のために、模式的に８行６列の行列状スリットの配置で示す。
【００２６】
なお、図３に示す本発明のシールシート３０では、複数のスリット３６は全て同じ長さであって互いに略平行であり、更に、行方向及びそれに直角の方向である列方向においてスリット間の距離（図３中のＢ１及びＢ２）が同一長さであるが、本発明のシールシートはこのような態様に限定されない。例えば、スリットの長さは異なってもよいし、互いに平行でなくてもよい。また、図３に示す本発明のシールシート３０の場合、スリット３６が配列されている行方向及び列方向と、図３に示す長方形のシールシートの長辺及び短辺とが平行であるが、本発明のシールシートはこのような態様に限定されない。例えば、前記剥離基材の裏面の任意の一方向を行方向、それに直角の方向を列方向としてよい。更に、この行方向と列方向とが直角をなさなくてもよい。
また、図３に示すシールシート３０では、スリットが８行６列の行列状に配列されており、全ての行においてスリットの数は６つで同じであり、全ての列においてスリットの数は８つで同じであるが、本発明のシールシートにおいては、この行及び列に並ぶスリットの数は行及び列ごとに異なってもよい。
【００２７】
例えば、本発明のシールシートは図４に示すシールシートであってもよい。
図４は、本発明のシールシート５０の剥離基材５２の裏面を示す平面図であり、剥離基材５２の外縁５７に接しない複数のスリット５６の全てが、剥離基材５２の裏面の任意の一方向と、それに略直角の方向とに行列状に配列されている。また、複数のスリット５６の全て同じ長さであって互いに略平行であり、スリット間の距離も同一長さである。そして、行及び列に並ぶスリットの数が行及び列ごとに異なっている。なお、図４は、スリットの配置説明のために、模式的に示す図であり、スリット数、スリット間距離はこの図に限定されない。
図３および図４のような長方形のシールシートの情報記録用基材に情報を記録する場合、シールシートの長辺や短辺に平行な方向に裁断することとなるような情報を記録する場合が多い。このような場合、図４に示すようなシールシートは、図３に示すようなシールシートと比較して、いずれかの線状のスリットを切るように裁断する確率が高くなる。そのため、切り抜き部分の情報記録用基材が剥離基材から剥がし易くなる。
【００２８】
このような本発明のシールシートにおいて前記剥離基材が、更に、その外縁と２点で接する切れ込み線を有することが好ましい。このような場合、特に、情報記録部分の大きさが比較的大きい場合に、それと剥離基材とを剥がし易くなるからである。
なお、「切れ込み線」とは、剥離基材の裏面から表面に達するように形成された線状の切れ目を意味する。
このようなシールシートは、例えば図５に示すシールシートである。
【００２９】
図５は本発明のシールシート４０の剥離基材４２の裏面を示す平面図であり、剥離基材４２が、その外縁４７と接しないスリット４６を複数有している。そして、スリット４６は、長方形のシールシート４０の短辺及び長辺に平行な行方向及び列方向に、行列状に配列されている。また、複数のスリット４６の各々は、全て同じ長さであって互いに平行であり、更に、行方向及び列方向においてスリット間の距離（図５中のＥ１及びＥ２）が同一長さである。そして、スリット４６は、更に、外縁４７と点Ｃ１及び点Ｃ２の２点で接する切れ込み線４８ａと、その外縁４７と点Ｄ１及び点Ｄ２の２点で接する略直線の切れ込み線４８ｂとを有している。
【００３０】
なお、図５に示すシールシート４０は切れ込み線を２本有しているが、１本であってもよいし、３本以上であってもよい。
また、シールシート４０は略直線の切れ込み線４８ａ、４８ｂを有しているが、本発明のシールシートにおいては略直線でなくてもよい。例えば曲線、波状の線、蛇行した線であってもよい。
また、シールシート４０は、その長方形の長辺と平行な方向に切れ込み線４８ａ、４８ｂを有しているが、本発明のシールシートにおいて切れ込み線は、その長方形の短辺に平行な方向であってもよいし、長方形の辺に平行でない方向であってもよい。２以上の切れ込み線が交わっていてもよい。
また、シールシート４０において、切れ込み線４８ａはスリット４６と交わっていないが、切れ込み線４８ｂのようにスリット４６と交わっていてもよい。切れ込み線４８ａのように交わっていないほうが、切り抜き部分の情報記録用基材と剥離基材とを切れ込み線に沿って剥がす場合に剥がし易い。
【００３１】
上記のような態様において、複数のスリット（たとえば図１の１６，１８）のうちの少なくとも１つと、シートの外縁（たとえば図１の１７）とがなす角度が２０〜８０度であることが好ましい。この角度は、図５に示す切れ込み線を有する場合には、切れ込み線４８ａまたは４８ｂに対する角度でもある。切り抜き部分の情報記録用基材と剥離基材とをシートの外縁または切れ込み線に沿って剥がす場合により剥がし易いからである。
ここで、この角度は、スリットとシートの外縁（または切れ込み線）とが交わる又は接する場合は、そのスリットと切れ込み線がなす角度のうちの鋭角のほうを意味するものとする。また、スリットとシートの外縁（または切れ込み線）とが交わらない又は接しない場合は、スリットの延長線とシートの外縁（または切れ込み線）とがなす角度のうちの鋭角のほうを意味するものとする。
図５においてα１、α２はこの角度を示している。図５においてα１は、スリット４６の延長線と切れ込み線４８ａとがなす角度のうちの鋭角のものである。また、α２は、切れ込み線４８ｂとそれに交わるスリット４６とがなす角度のうちの鋭角のものである。
【００３２】
なお、図５におけるこの複数のスリット４６のうちの少なくとも１つと、切れ込み線４８とがなす角度は２０〜８０度であることが好ましいが、３０〜６０度であることがより好ましく、４０〜５０度であることが更に好ましい。例えば、４５度であるのが好ましい具体的態様の一つである。切れ込み線に沿って切り抜き部分の情報記録用基材と剥離基材とを剥がす場合により剥がし易いからである。
【００３３】
図６は本発明の好ましいスリット配置例を示す平面図（シールシート裏面図）である。この態様では、シールシート１００の長手方向外縁１０２に沿って、外縁１０２と２０〜８０度の角度をなし、互いに平行に配置した複数のスリット１１１からなる第一のスリット列１１０と、スリット１１１と直交する角度のスリット１２１からなる第二のスリット列１２０とが、スリット同士交差することなく交互並列して配置されている。すなわち、剥離基材１０１の全面に、スリット１１１および１１２が網代状に配置されている。この態様のシールシート１００は、スリットの平面配置パターンが異なる以外は、図１に示す態様と同様であり、情報記録用基材（図示せず）と剥離基材１０１およびスリット１１１，１２１の断面構造は図１（Ｂ）と同様である。
剥離基材１０１は、その長手方向に形成された２本の切れ込み線１０３を有する。
【００３４】
図７は、上記スリットの配置をより具体的に説明するための図６VII部拡大図である。図７において、第一のスリット列１１０のスリット１1１は、シート外縁１０２と４５度の角度をなす。第二のスリット列１２０のスリット１２１は、スリット１１１と直交する角度であり、シート外縁１０２との角度は４５度である。スリット１１１および１２１は、いずれも長さ７ｍｍである。
【００３５】
このようなパターンの場合、各スリット間の距離は、先に示した好ましい距離３〜１００ｍｍ、より好ましくは３〜５０ｍｍのうちでも、各列におけるスリット同士の距離、第一のスリット列１１０で説明すれば、スリット端１１１ａ，１１１ａ間（または１１１ｂ，１１１ｂ間）の距離は、５〜１５ｍｍであることがより好ましく、５〜１０ｍｍであることが更に好ましい。図７には、典型的に７ｍｍの等間隔で示す。第一のスリット列１１０におけるスリット間隔と、第二のスリット列１２０におけるスリット間隔とは、互い等しいことが好ましい。また、第一のスリット列１１０と第二のスリット列１２０との距離は、スリット１１１および１２１の端部同士、たとえば１１１ａ（または１１１ｂ）と１２１ａ（または１２１ｂ）との距離（図２中のＡ１またはＡ２に相当する距離）は、５〜１５ｍｍであることがより好ましく、５〜１０ｍｍであることが更に好ましい。図７には、典型的に５ｍｍで示す。また、図７に示すパターンでは、隣接するスリット間の最短距離は、１１１ａ（または１１１ｂ）からこれと直交する位置にある１２１までの距離であり、典型的に約３．５ｍｍである。
【００３６】
図６および７のパターンにおいて、各スリットが上記距離で配置されると、第一のスリット列１１０と第二のスリット列１２０とのスリット端同士を結ぶ線は、ほぼ共通線となる。具体的には、スリット端１１１ａ同士を結ぶ線と、スリット端１２１ｂ同士とを結ぶ線とが共通し、またはスリット端１１１ｂ同士とスリット端１２１ａ同士とを結ぶ線とが共通する。このような配置は、スリットが高密度に存在させる。たとえば、７５ｍｍ×２８５ｍｍの剥離基剤１０１に、７ｍｍのスリットを図６で示されるパターンで配置した場合には、２８本のスリット１１１からなる第一のスリット列１１０が８列と、２９本のスリット１２１からなる第二のスリット列１２０が７列との交互配置が可能である(図６の２本の切れ込み線１０３，１０３間参照）。
【００３７】
つまり、図６および７に示す網代状パターンの態様では、スリットがまんべんなく存在することにより、切り抜き片がどのような形状でも、また小片であっても、いずれかのスリットを含む確率が極めて高い。このため、特に、この網代状パターンの場合には、剥離基材１０１の四辺端部には、スリットがなくてもなんら差し支えなく、剥離容易性の効果を充分に発揮する。印刷時などのスリットからのめくれなどを考慮すれば、四辺端部にスリットがないことはむしろ好ましい。スリットのない四辺端部を形成する剥離基材１０１の外縁からの距離は、短手辺側端部１０４および長手辺側端部１０５それぞれ独立に、通常、上記各スリット間距離と同様に３〜１００ｍｍ、より好ましくは３〜５０ｍｍであればよく、典型的に５〜１０ｍｍ程度である。
また、切れ込み線１０３からも、上記と同様に所定距離、スリットのない部分があってもよい。
【００３８】
以上、本発明の好適な実施態様であるシールシートについて説明したが、本発明は、以上の例には限定されず、本発明の要旨を逸脱しない範囲において、各種の改良や変更を行ってもよい。
例えば、本発明のシールシートの情報記録用基材はスリットや切れ込み線を有していてもよく、それらによってラベルが形成されていてもよい。
【００３９】
また、本発明のシールシートの製造方法は特に限定されない。例えば、裏面に貼着層を設けた情報記録用基材に、剥離基材を貼着して製造することができる。情報記録用基材、貼着層および剥離基材は公知の材料を選択して使用できる。
【００４０】
次に、本発明のシールシートの使用方法について図８を例にして説明する。
図８は、図３に示すシールシート３０の情報記録用基材３４所望形状に裁断した後、剥離基材３２から剥がしている状態を示す図である。
たとえば、まず、本発明のシールシート３０の情報記録用基材３４の表面に、所望の情報を手書きで又はプリンター等を用いて記録する。次に、その情報を記録した情報記録用基材を、はさみやカッター等を用いて所望形状に裁断して切り抜く。そして、切り抜いたシールシートの端部のスリット３６の部分において、情報記録用基材３４から剥離基材３２を浮かせ、これを指でつまんで引張ることで剥離基材３２を剥離する。なお上記には、切り抜き前のシールシートに情報を記録する態様を説明するが、情報の記録は裁断の後でもよいことはいうまでもなく、予め切り抜いた後のシールシート、さらには情報記録用基材３４を剥離基材３２から剥して物品に貼着した後に手書きなどで記録することができる。
【００４１】
ここで、本発明のシールシートは複数の、好ましくは多くのスリットを有するので、裁断の際、いずれかの線状のスリットを切るように裁断することとなる。そして、裁断したシールの端部に接するスリットにおいて、情報記録用基材から剥離基材を容易に浮かすことができるので、情報記録用基材と剥離基材との剥離を容易に行うことができる。
これに対して、このようなスリットがない従来品は、切り抜いた情報記録用基材と剥離基材とを剥がすきっかけとなる部分がないので容易に剥離できない。また、スリットに相当するものは有するがその数が少ないもの、例えば本発明でいう切れ込み線に相当するものを数本のみを有するもの場合は、例えば切り抜き形状によって、また、比較的小さい裁断片の場合には、スリットを有することにならない可能性が高く、スリットがない従来品と同様に容易に剥離できない。
【図面の簡単な説明】
【００４２】
【図１】本発明のシールシートの一実施態様の模式図である。
【図２】本発明のシールシートの剥離基材が有するスリット間距離を説明するための模式図である。
【図３】本発明のシールシートの別の実施態様の模式図である。
【図４】本発明のシールシートの別の実施態様の模式図である。
【図５】本発明のシールシートの別の実施態様の模式図である。
【図６】本発明のシールシートの別の実施態様の模式図である。
【図７】図６のVII部拡大図である。
【図８】本発明のシールシートの使用方法の説明図である。
【符号の説明】
【００４３】
１０    シールシート
１２    剥離基材
１４    情報記録用基材
１６    スリット
１７    外縁
１８    スリット
Ｆ    接点
２０ａ、２０ｂ    スリット
２２ａ、２２ｂ    スリット
Ａ１、Ａ２    スリット間の距離
３０    シールシート
３２    剥離基材
３４    情報記録用基材
３６    スリット
３７    外縁
Ｂ１、Ｂ２    スリット間の距離
５０    シールシート
５２    剥離基材
５６    スリット
５７    外縁
４０    シールシート
４２    剥離基材
４６    スリット
４７    外縁
４８ａ、４８ｂ    切れ込み線
Ｃ１、Ｃ２、Ｄ１、Ｄ２    切れ込み線と外縁と交点
Ｅ１、Ｅ２    スリット間の距離
α１、α２    切れ込み線とスリットとがなす角度
１００  シールシート
１０１    剥離基材
１０２    外縁
１０３    切れ込み線
１０４，１０５    端部
１１０  第一のスリット列
１１１  スリット
１２０  第二のスリット列
１２１  スリット
【図１】
0005117751.tif 000002
【図２】
0005117751.tif 000003
【図３】
0005117751.tif 000004
【図４】
0005117751.tif 000005
【図５】
0005117751.tif 000006
【図６】
0005117751.tif 000007
【図７】
0005117751.tif 000008
【図８】
0005117751.tif 000009